(57)【要約】【課題】キャップを排水穴に挿入した姿勢のまま、ボルトを回動するだけで簡単に取り付けることができる新規なキャップの提供。【解決手段】天板１の中央下面から略左右対称に対峙した状態で下方に向かって一体的に垂下された左右一対の脚部材２、２と、この脚部材２、２の間で垂直に配置されたボルト４と、脚部材２、２の間で前記ボルト４に螺合されたナット部材３とからなり、脚部材２の下端部に前記排水穴Ｃの側面に係合する係合爪２ａが形成され、ボルト４を回動することによりナット部材３が上昇し、または下降して左右の脚部材２、２を外方向に拡張し、係合爪２ａが排水穴Ｃの内側面に強く係合してキャップを排水穴Ｃに簡単に固定することができるようにした。【選択図】図１
0003104429.tif 000002
【実用新案登録請求の範囲】
【請求項１】
隣接する溝蓋(B)、(B)間に形成された排水穴(C)を閉じるためのキャップであって、前記排水穴(C)を閉じるに十分な面積を有し且つ水抜き用の小穴(1a)を備えた平板状の天板(1)と、該天板(1)の中央下面から下方に向かって一体的に垂下された左右一対の脚部材(2)、(2)と、この脚部材(2)、(2)の間で垂直に配置されたボルト(4)と、脚部材(2)、(2)の間で前記ボルト(4)に螺合されたナット部材(3)とからなり、脚部材(2)、(2)は略左右対称に対峙した状態で且つ下方が互いに遠のく方向に拡開可能に形成され、その下端外面に前記排水穴(C)の側面に係合する係合爪(2a)が形成され、前記ボルト(4)は回動可能に天板(1)に保持され且つボルト(4)を回動させるための工具が嵌合する嵌合部(4a)が天板(1)上面に形成され、前記ナット部材(3)は左右の脚部材(2)に面接してボルトとの共回りを阻止する当接面を備え、且つボルト(4)を回動することによってナット部材(3)が上昇し、または下降して脚部材(2)、(2)を外方向に押し広げるように形成されている溝蓋排水穴用キャップ。
【請求項２】
ナット部材(3)の当接面が直角に交わる二つの方向に向かって形成され、且つ夫々の当接面(3a)、(3b)のボルト軸芯からの距離が異なって形成されている請求項１に記載の溝蓋排水穴用キャップ。
【考案の詳細な説明】
【技術分野】
【０００１】
本考案は、道路に掘削された溝の上面をカバーする溝蓋の排水穴を閉じるためのキャップに関するものである。
【背景技術】
【０００２】
従来、各種ケーブルや管を地中に埋設するときに、掘削した溝や、或いは恒久的な排水穴の上面をカバーするために、主としてコンクリートで作られた多数の四角形の溝蓋が溝上面に敷設されている。この溝蓋には施工時に指やリフトハンガー等の爪を係合させるためと、降水時に溝内に溜まり水を排水させるための細長い排水穴が、隣接する溝蓋縁部に形成されている。この排水穴Ｃは歩行者のつま先や子供の足を引掛けたり、ハイヒールのかかとが嵌り込んだり、或いは障害者用の車椅子の小さな前輪がはまり込んだりして危険であるので、例えば特許文献１に示すようなキャップが排水穴に取り付けられている。
【０００３】
上記公知のキャップは、排水穴(C)に取り付ける際にフック片(3a)を備えた脚部材(3)を排水穴(C)にさし込んだ後、キャップと共に脚部材(3)を水平方向に９０度回転させてフック片(3a)が排水穴(C)を形成する溝蓋の下縁に係合する姿勢にした状態でボルト(4)を回動して脚部材(3)を上昇させ、フック片(3a)を溝蓋の下面に圧接する構造となっている。
【特許文献１】特許３４９１０８６号公報
【考案の開示】
【考案が解決しようとする課題】
【０００４】
しかし上記の公知手段では、脚部材を排水穴に挿入した姿勢でキャップを９０度回転させる操作が面倒であるとともに、キャップをスムーズに９０度回転させるためには、脚部材のフック片と溝蓋下縁との隙間をできるだけ大きくとる必要があり、従って締め付ける際にその隙間分だけボルトを多く回動させなければならないので、作業に手間が掛かるといった問題点があった。
【０００５】
そこで本考案は、キャップを排水穴に挿入した姿勢のまま、即ちキャップを９０度回転させることなく排水穴に挿入した姿勢で簡単に排水穴に固定することのできる新規なキャップを簡単な構造で安価に提供することを主たる目的とするものである。
【課題を解決するための手段】
【０００６】
上記目的を達成するために本考案では次のような技術的手段を講じた。即ち本考案は、隣接する溝蓋Ｂ、Ｂ間に形成された排水穴Ｃを閉じるためのキャップであって、前記排水穴Ｃを閉じるに十分な面積を有し且つ水抜き用の小穴１ａを備えた平板状の天板１と、該天板１の中央下面から下方に向かって一体的に垂下された左右一対の脚部材２、２と、この脚部材２、２の間で垂直に配置されたボルト４と、脚部材２、２の間で前記ボルト４に螺合されたナット部材３とからなり、脚部材２、２は略左右対称に対峙した状態で且つ下方が互いに遠のく方向に拡開可能に形成され、その下端部に前記排水穴Ｃの側面に係合する係合爪２ａが形成されており、前記ボルト４は回動可能に天板１に保持され且つボルト４を回動させるための工具が嵌合する嵌合部４ａが天板１の上面に形成され、前記ナット部材３は左右の脚部材２に面接してボルトとの共回りを阻止する当接面を備え、且つボルト４を回動することによってナット部材３が上昇し、または下降して脚部材２、２を外方向に押し広げるように形成されている構造とした。これにより、キャップを排水穴Ｃに挿入して上方からボルト４を回動するだけでナット部材３が上昇して左右の脚部材２、２が外方向に拡張し、係合爪２ａが排水穴Ｃの内側面に強く係合してキャップを排水穴Ｃに簡単に固定することができるようにしたものである。
【０００７】
前記ナット部材３の当接面を直角に交わる二つの方向に向かって形成し、且つ夫々の当接面３ａ、３ｂのボルト軸芯からの距離を異ならせて形成するのがよい。これにより排水穴Ｃの巾寸法に応じてナット部材３を９０度回転させることにより、左右の脚部材２、２の可変拡張寸法を変えることができる。
【０００８】
前記脚部材３はステンレススチールや防錆処理を施した鋼材等の適度な強度と弾性復元力を有する金属板から選択される。また天板１は金属もしくは合成樹脂材のいずれであってもよいが、天板１に形成される水抜き用の小穴１ａはハイヒールのかかと等が嵌り込まないような小さな穴で形成するのがよい。
【考案の効果】
【０００９】
本考案では、キャップを排水穴Ｃに挿入した姿勢のまま上方からボルト４を回動するだけでナット部材３が上昇してまたは下降して左右の脚部材２、２が外方向に拡張し、これにより係合爪２ａが排水穴Ｃの内側面に強く係合してキャップを排水穴Ｃに簡単に固定することができるから取付作業の簡略化とランニングコストの低減化を図ることができる。また、係合爪２ａが溝蓋Ｂの排水穴Ｃの内側面に係合する構造となっているから、厚みの大きな溝蓋に対しても全く同じ操作でキャップを排水穴Ｃに固定することができるといった利点がある。
【考案を実施するための最良の形態】
【００１０】
以下本考案の第１実施例について図１乃至図５に基づいて説明する。
図において符号Ｂ、Ｂは、道路脇等に形成された溝の上面開口部を閉じる為に敷設されたコンクリート製の溝蓋であって一般に周知のものである。この溝蓋Ｂ、Ｂの隣接する縁部には細長い排水穴Ｃが設けられている。本考案はこの排水穴Ｃを閉じるためのキャップであって、前記排水穴Ｃを閉じるに十分な面積を有し且つ水抜き用の小穴１ａを備えた長方形状の平らな天板１を備え、この天板１の中央下面から下方に向かって垂下された左右一対の金属板製の脚部材２、２が鋲５等によって天板１に一体的に固定されている。
【００１１】
前記脚部材２、２は、ステンレススチールや鋼材等の適度な強度と弾性復元力を有する薄い金属板によって形成され、且つ略並行に対峙した状態で且つ非使用状態において下方が互いに遠のく下広がり方向に傾斜した状態で配置されており、その下端部に前記排水穴Ｃの側面に係合する係合爪２ａが外向きに突出して形成されている。
【００１２】
符号４はボルトであって、前記脚部材２、２の中間位置に垂直に配置され、回動可能な状態で天板１に保持されている。またボルト４の上端面は天板１の上面に露出してこれにドライバー等の回動工具を嵌合する嵌合部４ａが形成されている。
【００１３】
更に、脚部材２、２の間で前記ボルト４にナット部材３が螺合されている。本実施例にあってはこのナット部材３は図５に示すように、平面視長方形で形成されていて直角に交差する二つの方向に向いた夫々の端面が選択的に左右の脚部材２の内面に当接してボルト４との共回りを阻止する長さの異なる二つの当接面３ａ、３ｂを形成している。即ち、直角に交差する二つの方向に向いた夫々の当接面３ａ、３ｂのボルト軸芯からの距離が異なって形成されている。また何れの当接面が当接している場合でもボルト４を回動することによってナット部材３が上昇して脚部材２、２を外方向に押し広げることができる寸法に形成されている。
【００１４】
下端に係合爪３ａを有する脚部材３の長さは、対応するコンクリート製溝蓋の厚みによって定められる。通常溝蓋Ｂの厚みは７cm〜１５cmであるから、最低の厚みの溝蓋、即ち７cmの厚みの溝蓋に適応できる寸法で設定する。これにより、全ての厚みの溝蓋に適応させることができる。
【００１５】
上記キャップの天板１はステンレススチールや防錆処理をした鉄等の金属材料が好ましい。しかし十分な強度を有するものであれば合成樹脂材で成形することも可能である。また、天板１に形成される水抜き用の小穴１ａはハイヒールのかかと等が嵌り込まないような小さな穴で多数形成するのがよい。
【００１６】
上記のごとく構成されたキャップを排水穴Ｃに取り付ける場合は、キャップを図１の状態から図３のように排水穴Ｃに差し込み、その姿勢のままボルト４を回動するだけでよい。これにより図４に示すように、ナット部材３が上昇して左右の脚部材２、２が外方向に拡張し、係合爪２ａが排水穴Ｃの内側面に強く係合してキャップを排水穴Ｃに簡単に固定することができるものである。また、排水穴Ｃの巾寸法が少し広い場合は、ナット部材３を９０度回転させて他の当接面３ｂが脚部材２の内面に当接するようにすることにより、左右の脚部材２、２の可変拡張寸法を大きくすることができて確実に固定することが可能な範囲を増大させることができるようにしてある。
【００１７】
図６及び図７は第２実施例を示した図であって、該実施例に示した脚部材２、２は、左右対称的に相対峙した非使用状態において、下方部分が互いに近づく下狭まり方向に傾斜した状態で配置されており、その下端部に排水穴Ｃの側面に係合する係合爪２ａが互いに外向きに突出して形成されている。
【００１８】
而して、図７に示したように、ボルト４の回動によってナット部材３が下降して左右の脚部材２、２を外方向に拡張し、下端部の係合爪２ａが排水穴Ｃの内側面に係合してキャップを排水穴Ｃに固定することができるようにしたものである。その他の点については前記第１実施例に準ずる。
【００１９】
このように本考案にいうところの脚部材２、２は、非使用状態において下広がりのものとしてナット部材３を引き上げることによって下端部の係合爪２ａ、２ａを外側に押し広げる手段と、非使用状態において下狭まりのものとしてナット部材３を押し下げることによって下端部の係合爪２ａ、２ａを外側に押し広げる手段との何れの手段を講じたものであってもほぼ同様に使用することができる。しかしながら、後者第２実施例のものとした場合には、ナット部材３で係合爪２ａ、２ａにより近い箇所を押し広げることができる点で脚部材２、２の強度が少なくてもよい利点がある。
【００２０】
上記各実施例では、ナット部材３の当接面を直角に交わる二つの方向に向かって形成し、且つ夫々の当接面３ａ、３ｂのボルト軸芯からの距離を異なって形成した例を示したが、この当接面は一方向のみ、即ち当接面３ａ若しくは当接面３ｂの何れか一方のみであってもよい。その他本考案では、その構成要件を備え、且つ効果を有する範囲内で適宜変更して実施できることは勿論である。  
【図面の簡単な説明】
【００２１】
【図１】本考案に係るキャップの第１実施例を示す斜視図。
【図２】図１におけるＡ−Ａ線に沿った断面図。
【図３】図２におけるＤ−Ｄ線に沿った断面図であって排水穴へ挿入した状態を示す。
【図４】図３の状態から脚部材を拡張させた状態を示す。
【図５】上記キャップの背面図。
【図６】キャップの第２実施例を示す図３相当の断面図。
【図７】同実施例の図４相当の断面図。
【符号の説明】
【００２２】
１  天板
２  脚部材
３  ナット部材
３ａ  ナットの当接面
３ｂ  ナットの他の当接面
４  ボルト
４ａ  嵌合部
【図１】
0003104429.tif 000003
【図２】
0003104429.tif 000004
【図３】
0003104429.tif 000005
【図４】
0003104429.tif 000006
【図５】
0003104429.tif 000007
【図６】
0003104429.tif 000008
【図７】
0003104429.tif 000009